(57)【要約】【課題】  ユーザーの潜在的な関心情報へのアクセスを提供する方法及びシステムを提供する。【解決手段】  閉鎖字幕情報は、インターネットで関連した情報を探すために分析され、閉鎖字幕情報を含むプログラムを受信するテレビジョンとユーザーとの相互作用は、ユーザーの関心を決定するためにモニタリングされ、関連した閉鎖字幕情報は、キー情報を決定するために分析され、キー情報は、インターネットのような利用可能な資源で情報を探索するのに使われ、探索結果は、ユーザーの関心情報をユーザーに推薦するのに使われる。【選択図】      図２
2008276737.tif 000002
【特許請求の範囲】
【請求項１】
電子装置のユーザーの潜在的な関心情報へのアクセスを提供する方法において、
ユーザーによりあらかじめアクセスされた情報を確認するために、装置とユーザーとの相互作用をモニタリングするステップと、
前記確認された情報に基づいてキー情報を決定するステップと、
前記キー情報に基づいてユーザーの潜在的な関心情報の利用可能なソースを探索するステップとを含み、
前記確認された情報は、前記確認された情報と連結された閉鎖字幕情報を有することを特徴とする電子装置のユーザーの潜在的な関心情報へのアクセスを提供する方法。
【請求項２】
ユーザーの潜在的な関心情報を提供するステップをさらに含むことを特徴とする請求項１に記載の電子装置のユーザーの潜在的な関心情報へのアクセスを提供する方法。
【請求項３】
前記利用可能なソースを探索するステップは、前記キー情報に基づいてクエリーを形成し、前記クエリーを利用して外部ネットワークを探索するステップをさらに含むことを特徴とする請求項１に記載の電子装置のユーザーの潜在的な関心情報へのアクセスを提供する方法。
【請求項４】
前記装置は、テレビジョンを備え、
前記モニタリングするステップは、前記テレビジョンとユーザーとの相互作用をモニタリングするステップをさらに含み、
前記キー情報を決定するステップは、前記キー情報を決定するために、前記テレビジョンを通じて前記ユーザーに提供された前記閉鎖字幕情報を分析するステップを含むことを特徴とする請求項１に記載の電子装置のユーザーの潜在的な関心情報へのアクセスを提供する方法。
【請求項５】
前記キー情報を決定するステップは、前記装置を通じて前記ユーザーによるアクセスのために選択されたコンテンツに関する閉鎖字幕情報を分析するステップを含むことを特徴とする請求項１に記載の電子装置のユーザーの潜在的な関心情報へのアクセスを提供する方法。
【請求項６】
前記モニタリングするステップは、前記ユーザーが前記装置を通じてアクセスするために選択するコンテンツをモニタリングするステップをさらに含むことを特徴とする請求項５に記載の電子装置のユーザーの潜在的な関心情報へのアクセスを提供する方法。
【請求項７】
前記モニタリングするステップは、前記ユーザーが前記装置を通じてアクセスするために選択するチャンネルを通じて提供された前記閉鎖字幕情報をモニタリングするステップをさらに含むことを特徴とする請求項６に記載の電子装置のユーザーの潜在的な関心情報へのアクセスを提供する方法。
【請求項８】
前記キー情報を決定するステップは、前記ユーザーが前記装置を通じてアクセスするために選択するチャンネルを通じて提供された前記閉鎖字幕情報を分析するステップを含むことを特徴とする請求項６に記載の電子装置のユーザーの潜在的な関心情報へのアクセスを提供する方法。
【請求項９】
前記分析するステップは、
前記閉鎖字幕情報をテキストに変換するステップと、
前記ユーザーの関心キーワード及び／またはキーフレーズを決定するために、前記テキストを分析するステップと、をさらに含むことを特徴とする請求項８に記載の電子装置のユーザーの潜在的な関心情報へのアクセスを提供する方法。
【請求項１０】
前記分析するステップは、
前記閉鎖字幕情報をテキストに変換するステップと、
前記テキストで不用語を除去するステップと、
残っている情報の発生の数に基づいて、前記キー情報として前記テキストに前記残っている情報を選択するステップとをさらに含むことを特徴とする請求項８に記載の電子装置のユーザーの潜在的な関心情報へのアクセスを提供する方法。
【請求項１１】
前記分析するステップは、
前記閉鎖字幕情報をテキストに変換するステップと、
前記テキストで不用語を除去するステップと、
それぞれの残っている単語に対して状況情報がないとき、前記単語を辞書と比較することによって適切な名詞を検出するか、そうでなければ、それぞれの単語の最初の文字の場合に基づいて適切な名詞を検出するステップと、
前記残っている単語の発生頻度を決定してインデクシングするステップと、
頻度と関連した適切な名詞の検出に基づいてユーザーの関心単語を抽出するステップとをさらに含むことを特徴とする請求項８に記載の電子装置のユーザーの潜在的な関心情報へのアクセスを提供する方法。
【請求項１２】
前記関心単語を抽出するステップは、
所定のランキング基準に基づいて一連の残っている単語を順位づけるステップと、
前記適切な名詞に対して一連の残っている前記単語を検査するステップと、
キーワードとして適切な単語と順位づけられた単語とから順位づけられたリストを生成するステップと、を含み、
前記上位ランキング単語と前記適切な名詞とは、高い優先順位であることを特徴とする請求項１１に記載の電子装置のユーザーの潜在的な関心情報へのアクセスを提供する方法。
【請求項１３】
前記一連の単語は、ｎ秒時間周期から選択されることを特徴とする請求項１２に記載の電子装置のユーザーの潜在的な関心情報へのアクセスを提供する方法。
【請求項１４】
前記ユーザーの潜在的な関心情報として前記ユーザーに前記探索結果を提供するステップと、
前記ユーザーに潜在的な関心情報からユーザー選択を受信するステップと、
前記ユーザー選択情報に基づいて、ユーザーの潜在的かつ付加的な関心情報に対して利用可能なソースの探索を行うステップと、を含むことを特徴とする請求項１に記載の電子装置のユーザーの潜在的な関心情報へのアクセスを提供する方法。
【請求項１５】
前記装置は、ＬＡＮに連結され、
前記利用可能なソースを探索するステップは、前記キー情報に基づいたクエリーを形成し、前記クエリーを利用してインターネットを探索するステップをさらに含むことを特徴とする請求項１に記載の電子装置のユーザーの潜在的な関心情報へのアクセスを提供する方法。
【請求項１６】
装置のユーザーの潜在的な関心情報へのアクセスを提供するシステムにおいて、
装置とユーザーとの相互作用をモニタリングするように構成されるモニタ部と、
確認された情報に基づいてキー情報を決定するように構成された分析部と、
前記キー情報に基づいてユーザーの潜在的な関心情報を探索するように構成される探索部とを備え、
前記確認された情報は、閉鎖字幕情報を含むことを特徴とする装置のユーザーの潜在的な関心情報へのアクセスを提供するシステム。
【請求項１７】
前記探索部は、前記キー情報に基づいて前記ユーザーの潜在的な関心情報についての利用可能なソースの探索を行うようにさらに構成されることを特徴とする請求項１６に記載の装置のユーザーの潜在的な関心情報へのアクセスを提供するシステム。
【請求項１８】
前記ユーザーの潜在的な関心情報として前記ユーザーに探索結果をディスプレイするように構成されるディスプレイ部をさらに備えることを特徴とする請求項１７に記載の装置のユーザーの潜在的な関心情報へのアクセスを提供するシステム。
【請求項１９】
前記分析部は、キー情報に基づいてクエリーを形成し、前記クエリーを利用して外部ネットワークを探索するようにさらに構成されることを特徴とする請求項１７に記載の装置のユーザーの潜在的な関心情報へのアクセスを提供するシステム。
【請求項２０】
前記装置は、テレビジョンを備え、
前記モニタ部は、前記テレビジョンとユーザーとの相互作用をモニタリングするようにさらに構成され、
前記分析部は、前記キー情報を決定するために、前記テレビジョンを通じて前記ユーザーに提供された前記閉鎖字幕情報を分析するようにさらに構成されることを特徴とする請求項１７に記載の装置のユーザーの潜在的な関心情報へのアクセスを提供するシステム。
【請求項２１】
前記モニタ部は、前記ユーザーが前記テレビジョンで受信しようと選択する情報をモニタリングするようにさらに構成されることを特徴とする請求項２０に記載の装置のユーザーの潜在的な関心情報へのアクセスを提供するシステム。
【請求項２２】
前記モニタ部は、前記ユーザーが前記テレビジョンで視聴しようと選択するチャンネルをモニタリングするようにさらに構成されることを特徴とする請求項２１に記載の装置のユーザーの潜在的な関心情報へのアクセスを提供するシステム。
【請求項２３】
前記モニタ部は、前記ユーザーが前記テレビジョンで視聴しようと選択するチャンネルを通じて提供された閉鎖字幕情報をモニタリングするようにさらに構成されることを特徴とする請求項２２に記載の装置のユーザーの潜在的な関心情報へのアクセスを提供するシステム。
【請求項２４】
前記分析部は、前記ユーザーが前記テレビジョンで視聴しようと選択するチャンネルを通じて提供された閉鎖字幕情報を分析することによってキー情報を決定するようにさらに構成されることを特徴とする請求項２２に記載の装置のユーザーの潜在的な関心情報へのアクセスを提供するシステム。
【請求項２５】
前記分析部は、
前記閉鎖字幕情報をテキストに変換するように構成される変換部と、
前記ユーザーの潜在的な関心キーワード及び／またはキーフレーズを決定するために、前記テキストを分析するように構成される抽出部とを備えることを特徴とする請求項２３に記載の装置のユーザーの潜在的な関心情報へのアクセスを提供するシステム。
【請求項２６】
前記閉鎖字幕情報をテキストに変換するように構成される変換部と、
前記テキストで不用語を除去するように構成される不用語フィルタと、
キーワードとして前記ユーザーの関心単語を決定するように構成される抽出部と、を備えることを特徴とする請求項２３に記載の装置のユーザーの潜在的な関心情報へのアクセスを提供するシステム。
【請求項２７】
前記分析部は、
前記閉鎖字幕情報をテキストに変換するように構成される変換部と、
前記テキストで不用語を除去するように構成される不用語フィルタと、
残っている単語の発生頻度を決定するように構成されるインデクサと、
前記発生頻度に基づいてキーワードとして前記ユーザーの関心単語を決定するように構成される抽出部と、を備えることを特徴とする請求項２３に記載の装置のユーザーの潜在的な関心情報へのアクセスを提供するシステム。
【請求項２８】
前記分析部は、
前記閉鎖字幕情報をテキストに変換するように構成される変換部と、
前記テキストで不用語を除去するように構成される不用語フィルタと、
残っている単語の発生頻度を決定するように構成されるインデクサと、
それぞれの残っている単語に対して状況情報がないとき、前記単語を辞書と比較することによって適切な名詞を検出するか、そうでなければ、それぞれの単語の最初の文字の場合に基づいて適切な名詞を検出するように構成される適切な名詞検出部と、
前記発生頻度と関連した前記適切な名詞検出部に基づいて、キーワードとして前記ユーザーの関心単語を決定するように構成される抽出部と、を備えることを特徴とする請求項２３に記載の装置のユーザーの潜在的な関心情報へのアクセスを提供するシステム。
【請求項２９】
前記抽出部は、所定のランキング基準に基づいて一連の残っている単語を順位づけ、前記適切な名詞と前記順位づけられた単語とから順位づけられたリストを生成し、前記順位づけられたリストからキーワードを生成するようにさらに構成されることを特徴とする請求項２７に記載の装置のユーザーの潜在的な関心情報へのアクセスを提供するシステム。
【請求項３０】
前記一連の単語は、ｎ秒時間周期から選択されることを特徴とする請求項２６に記載の装置のユーザーの潜在的な関心情報へのアクセスを提供するシステム。
【請求項３１】
前記ディスプレイ部は、前記ユーザーの潜在的な関心情報として前記ユーザーに前記探索結果を提供し、前記ユーザーの潜在的な関心情報からユーザー選択を受信するようにさらに構成され、
前記分析部は、前記ユーザー選択情報に基づいて前記ユーザーの潜在的かつ付加的な関心情報に対して利用可能なソースの探索を行うように構成されることを特徴とする請求項１８に記載の装置のユーザーの潜在的な関心情報へのアクセスを提供するシステム。
【請求項３２】
前記電子装置は、ＬＡＮに連結されるように構成され、
前記分析部は、前記キー情報に基づいてクエリーを形成し、前記クエリーを利用してインターネットを探索するようにさらに構成されることを特徴とする請求項１６に記載の装置のユーザーの潜在的な関心情報へのアクセスを提供するシステム。
【請求項３３】
電子装置において、
装置のユーザーの潜在的な関心情報へのアクセスを提供するように構成される制御部を備え、
前記制御部は、
前記装置とユーザーとの相互作用をモニタリングするように構成されるモニタ部と、
確認された情報に基づいてキー情報を決定するように構成された分析部と、を備え、
前記確認された情報は、閉鎖字幕情報を含むことを特徴とする電子装置。
【請求項３４】
前記分析部は、前記キー情報に基づいて前記ユーザーの潜在的な関心情報に対する利用可能なソースの探索を行うようにさらに構成されることを特徴とする請求項３３に記載の電子装置。
【請求項３５】
前記ユーザーの潜在的な関心情報として前記ユーザーに探索結果をディスプレイするように構成されるディスプレイ部をさらに備えることを特徴とする請求項３４に記載の電子装置。
【請求項３６】
前記分析部は、キー情報に基づいてクエリーを形成し、前記クエリーを利用して外部ネットワークを探索するようにさらに構成されることを特徴とする請求項３４に記載の電子装置。
【請求項３７】
前記装置は、テレビジョンを備え、
前記モニタ部は、前記テレビジョンとユーザーとの相互作用をモニタリングするようにさらに構成され、
前記分析部は、前記キー情報を決定するために、前記テレビジョンを通じて前記ユーザーに提供された前記閉鎖字幕情報を分析するようにさらに構成されることを特徴とする請求項３４に記載の電子装置。
【請求項３８】
前記モニタ部は、前記ユーザーが前記装置で受信しようと選択する情報をモニタリングするようにさらに構成されることを特徴とする請求項３４に記載の電子装置。
【請求項３９】
前記モニタ部は、前記ユーザーが前記装置で視聴しようと選択するチャンネルをモニタリングするようにさらに構成されることを特徴とする請求項３８に記載の電子装置。
【請求項４０】
前記モニタ部は、前記ユーザーが前記装置を通じてアクセスするために選択するチャンネルを通じて提供された閉鎖字幕情報をモニタリングするようにさらに構成されることを特徴とする請求項３９に記載の電子装置。
【請求項４１】
前記分析部は、前記ユーザーが前記装置で受信しようと選択するコンテンツを通じて提供された閉鎖字幕情報を分析することによってキー情報を決定するようにさらに構成されることを特徴とする請求項３９に記載の電子装置。
【請求項４２】
前記分析部は、
前記閉鎖字幕情報をテキストに変換するように構成される変換部と、
前記ユーザーの潜在的な関心キーワード及び／またはキーフレーズを決定するために前記テキストを分析するように構成される抽出部とを備えることを特徴とする請求項４０に記載の電子装置。
【請求項４３】
前記分析部は、
前記閉鎖字幕情報をテキストに変換するように構成される変換部と、
前記テキストで不用語を除去するように構成される不用語フィルタと、
キーワードとして前記ユーザーの関心単語を決定するように構成される抽出部と、を備えることを特徴とする請求項４０に記載の電子装置。
【請求項４４】
前記分析部は、
前記閉鎖字幕情報をテキストに変換するように構成される変換部と、
前記テキストで不用語を除去するように構成される不用語フィルタと、
残っている単語の発生頻度を決定するように構成されるインデクサと、
前記発生頻度に基づいてキーワードとして前記ユーザーの関心単語を決定するように構成される抽出部とを備えることを特徴とする請求項４０に記載の電子装置。
【請求項４５】
前記分析部は、
前記閉鎖字幕情報をテキストに変換するように構成される変換部と、
前記テキストで不用語を除去するように構成される不用語フィルタと、
残っている単語の発生頻度を決定するように構成されるインデクサと、
それぞれの残っている単語に対して状況情報がないとき、前記単語を辞書と比較することによって適切な名詞を検出するか、そうでなければ、それぞれの単語の最初の文字の場合に基づいて適切な名詞を検出するように構成される適切な名詞検出部と、
前記発生頻度と関連した前記適切な名詞検出部に基づいて、キーワードとして前記ユーザーの関心単語を決定するように構成される抽出部とを備えることを特徴とする請求項４０に記載の電子装置。
【請求項４６】
前記抽出部は、所定のランキング基準に基づいて一連の残っている単語を順位づけ、前記適切な名詞と前記順位づけられた単語とから順位づけられたリストを生成し、前記順位づけられたリストからキーワードを生成するようにさらに構成されることを特徴とする請求項４３に記載の電子装置。
【請求項４７】
前記一連の単語は、ｎ秒時間周期から選択されることを特徴とする請求項４３に記載の電子装置。
【請求項４８】
前記ディスプレイ部は、前記ユーザーの潜在的な関心情報として前記ユーザーに前記探索結果を提供し、前記ユーザーの潜在的な関心情報からユーザー選択を受信するようにさらに構成され、
前記分析部は、前記ユーザー選択情報に基づいて前記ユーザーの潜在的かつ付加的な関心情報に対して利用可能なソースの探索を行うように構成されることを特徴とする請求項１８に記載の電子装置。
【請求項４９】
前記電子装置は、ＬＡＮに連結されるように構成され、
前記分析部は、前記キー情報に基づいてクエリーを形成し、前記クエリーを利用してインターネットを探索するようにさらに構成されることを特徴とする請求項１６に記載の電子装置。
【発明の詳細な説明】
【技術分野】
【０００１】
本発明は、ユーザーの関心情報へのアクセス方法及びシステムに関する。
【背景技術】
【０００２】
ホームネットワークのようなＬＡＮ（Ｌｏｃａｌ  Ａｒｅａ  Ｎｅｔｗｏｒｋ）でネットワークに連結された装置の数は増加しつつあり、これにより、保存されたデータの量も多くなっている。典型的に、ホームネットワークユーザーは、コンテンツ（オーディオ、ビデオ、イメージ及び他のデータファイル）の色々な形態をユーザーのホーム装置に、またはホーム装置を通じて異なるフォーマットに保存してアクセスする。それらをアクセスすることに加えて、また、ユーザーは、テレビジョン放送またはケーブルネットワークを通じてオーディオ／ビデオ放送データストリームに一般的にアクセスする。
【０００３】
さらに、インターネットなど外部ネットワークのようなソースで利用可能な情報の量は継続的に増加しつつある。例えば、ユーザーは、ユーザーホームネットワークで装置に保存された少なくともデータの一部に関連したインターネットでの有用な情報を探すことができる。複数のソースを通じて異なるフォーマット（構造、中間構造及び下部構造）の情報に関連して多く探すことができる。
【０００４】
しかし、ユーザーがこの関連した情報に容易かつ一様にアクセスする利用可能なシステムはない。ユーザーがこれを成功できる唯一の方法は、インターネット探索エンジンを利用して所望の情報の探索を手動で行うか、またはユーザーがこの関連した情報を含めていると信じる（ウェブブラウザを通じて）ウェブサイトに直接アクセスするものである。したがって、ユーザーは、ユーザーが探している正確な情報を識別／アクセスするために多量の情報を理解して分析せねばならない。
【０００５】
ユーザーが資源のネットワークで情報を獲得できる現存する接近法がある。一つの接近法で、ユーザーは、情報を要請する。ユーザーは、キーワードを使用して情報を列挙し、次いで、ユーザーの要求を満足させる一部の情報を探すために情報を検索する。しかし、ＣＥ（Ｃｏｎｓｕｍｅｒ  Ｅｌｅｃｔｒｏｎｉｃｓ）装置のようにキーボードのない装置を利用してキーワードを列挙するのは退屈な仕事となる。
【０００６】
他の接近法は、ユーザーがテレビジョン及び個人用コンピュータを使用する構成を含む。パソコンは、テレビジョンプログラムの説明字幕を分析し、一般的なニュース、医学などにプログラムを範疇化する。カテゴリの階層は固定されており、放送テレビジョン視聴者により提起された問題から作られる。特定のプログラムのコンテンツは、固定された多くのカテゴリに地図化される。ユーザーは、コンテンツが特定されたカテゴリの一つと一致するときのみ、付加的な情報を見ることができる。クエリーは、ユーザーにより再び試みられる情報の量を制限し、固定されたソースにリンクされている。
【０００７】
さらに、パソコンがターンオフされるとき、要求されたパソコンとシステムは機能を行えない。したがって、情報の特定のソースを制限せずにユーザーへの関心情報を得て分析するための方法及びシステムの要求がある。
【発明の開示】
【発明が解決しようとする課題】
【０００８】
本発明の目的は、前記のような問題点を解決するためのものであって、情報の特定のソースを制限せずにユーザーの関心情報を獲得して分析する方法及びシステムを提供するところにある。
【課題を解決するための手段】
【０００９】
前記目的を達成するために、本発明は、ユーザーの潜在的な関心情報へのアクセスを提供する方法及びシステムを提供するものである。一実施形態において、本発明は、情報の特定のソースなしに閉鎖字幕情報を分析し、ユーザーの関心情報を獲得することを含む。かかる接近は、ユーザーによりアクセスされた情報を識別する装置とユーザーとの相互作用をモニタリングし、識別された情報に基づいてキー情報を決定し、前記識別された情報は、閉鎖字幕情報を含み、前記キー情報に基づいてユーザーの潜在的な関心情報に対して利用可能なソースを探索することによって、電子装置のユーザーの潜在的な関心情報へのアクセスを提供するのに有用である。利用可能なソースを探索することは、キー情報に基づいてクエリーを形成し、クエリーを使用するインターネットのような外部ネットワークを探索することを含む。
【００１０】
かかる電子装置の一例は、閉鎖字幕情報を含むテレビジョンプログラミングを受信するテレビジョンのようなＣＥ装置である。ユーザーによりアクセス／視聴されているテレビジョンプログラムの閉鎖字幕情報は分析され、キー情報は抽出される。これは、閉鎖字幕情報をテキストに変換し、不用語を除去し、発生頻度、適切な名詞情報及び／または他の基準に基づいて残っている単語に順序づけることを含む。順位づけられた単語は、クエリーを形成し、利用可能なインターネット探索エンジンのような探索エンジンを使用して探索を行うために使われるキーワード／キーフレーズのようなキー情報を表す。探索結果は、推薦事項としてユーザーに提示され、ユーザーの潜在的な関心情報を表す。ユーザーは、付加的及び／またはさらに多くのユーザーに精製された関心情報を探すためにさらに探索するために推薦事項のうち選択できる。
【発明の効果】
【００１１】
本発明によれば、情報の特定のソースを制限せずにユーザーの関心情報を獲得して分析できる。
【発明を実施するための最良の形態】
【００１２】
本発明の特徴、観点、利点は、次の発明の詳細な説明、特許請求の範囲、図面を参照して理解できるであろう。
【００１３】
本発明は、情報の特定のソースを制限せずにユーザーの関心情報を獲得して分析する方法及びシステムを提供する。ユーザーが関心のありそうな潜在的な情報は、外部ネットワークと連結された装置のローカルネットワークで装置とユーザーとの相互作用をモニタリングすることによって決定される。かかる装置は、インターネットと連結されているＬＡＮ（例えば、ホームネットワーク）でのＣＥ装置となりうる。
【００１４】
一実施形態において、閉鎖字幕情報を含む閉鎖字幕プログラミングを受信し、ユーザーの関心を示すキー情報についての閉鎖字幕情報を分析することを含む。キー情報は、インターネットのような情報のソースから関連した情報を見つけるのに使われ、ユーザーは潜在的に関心を持つこともありうる。
【００１５】
キーボードのないテレビジョンのような典型的なＣＥ装置では、ユーザーがキーワードを入力してインターネットで情報を探しがたい。ユーザーがテレビジョンプログラムを視聴している場合、ユーザーがテレビジョンプログラムの内容に関心があるというよい指示となる。したがって、テレビジョンプログラムの内容は、テレビジョンプログラムの閉鎖字幕情報として受信したテキストを集めて分析することによって分析される。さらに、文脈上の情報は、視聴されているチャンネルに関する情報から収集される。閉鎖字幕情報と文脈上の情報とは結合され、ユーザーが潜在的に関心のある情報をユーザーに推薦するのに使われる。
【００１６】
収集された情報は、ユーザーの少なくとも一つ以上の潜在的な関心キーワードを決定するのに使われる。キーワードは、インターネットで関連した情報を探すのに使われる。例えば、ユーザーがボルチモアを含めたニュース報道を視聴している場合、‘ボルチモア’という単語がキーワードとして抽出される。前記キーワードは、情報を探すための探索エンジンを、例えば‘ボルチモア市’または‘ボルチモアレイバンズ（米国のプロフットボールチーム）’などについての情報を含むウェブサイトのような情報を探すために探索エンジンを使用してインターネットを探索するためのクエリーを形成するのに使われる。
【００１７】
探索結果は、ユーザーにより選択されることもあり、ユーザーの関心事になりうるインターネットで情報を探すために実行されることもある潜在的な探索クエリーを含む推薦事項としてユーザーに提供される。例えば、ユーザーがテレビジョンで南極大陸に関するドキュメンタリを視聴している間、南極大陸は、キーワードとして選択され、ユーザーの潜在的な関心の推薦事項としてインターネットで“北極クマ”を探索する。ユーザーは、北極クマについてのさらに多くの情報を探すために前記推薦を選択する。そうであれば、“北極クマ”についてのクエリーは探索エンジンに送られ、ユーザーに結果がディスプレイされる。
【００１８】
探索は、固定されたカテゴリまたはクエリーまたは情報ソースの数に制限されない。一実施形態において、キーワードは、探索のための閉鎖字幕情報に基づいて識別される。キーワードは、ユーザーに提案されることもあり、前記ユーザーの選択で付加的な情報は、一つ以上の特定のウェブサイトのような所定の及び／または固定された多くのソースよりインターネット（探索エンジンが利用可能な異なるウェブサイト）で探索可能な探索エンジンを使用して獲得される。
【００１９】
図１は、本発明の一実施形態によるローカルネットワーク（例えば、ホームネットワーク）のようなネットワーク１０を示す構成図である。ネットワーク１０は、インターネット５０で関連した情報を探すために、テレビジョン閉鎖字幕情報を分析するプロセスを具現する。ネットワーク１０は、コンテンツを含む電子装置２０、コンテンツを含むＣＥ装置３０（例えば、テレビジョン、ＤＶＤプレーヤー、携帯電話、ＰＤＡなど）を含む。ネットワーク１０は、外部ネットワーク５０（例えば、他のローカルネットワーク、インターネットなど）にネットワーク１０を連結するインターフェース４０をさらに備える。外部ネットワーク５０は、少なくとも一つ以上のサーバー５１に連結される。たとえ装置２０，３０が分離されて見られるとしても、一つの物理的な装置は、少なくとも一つ以上の論理装置を備える。後述するように、本発明の一実施形態において、テレビジョン閉鎖字幕情報を分析し、ユーザーの関心情報を提案するプロセスが図１の装置３０で具現される。
【００２０】
装置２０，３０は、それぞれそれら間の通信のためのＵＰｎＰプロトコルを具現できる。当業者は、本発明が他のネットワーク通信プロトコル（例えば、Ｊｉｎｉ、ＨＡＶｉ、ＩＥＥＥ  １３９４など）にも利用可能であることを認識できる。さらに、ネットワーク１０は、有線ネットワーク、無線ネットワークまたはそれらの組み合わせとなりうる。
【００２１】
テレビジョン閉鎖字幕情報を分析するプロセスを具現するシステムは、入力としてテレビジョン信号を受信する。ユーザーにより視聴されているチャンネルがモニタリングされ、テレビジョンシグナルの一部である相応する閉鎖字幕情報は分析される。次いで、ユーザーにより視聴されている部分を捕捉した一連のキーワードが決定される。
【００２２】
図２は、本発明の一実施形態によるテレビジョン閉鎖字幕情報を分析するシステム２００の機能的なブロックダイアグラムを示す。システム２００は、チャンネルモニタ部２０１、テレビジョン信号をテキストに変換する変換部２０２、不用語フィルタ２０４、適切な名詞検出部２０６、インデクサ２０８、辞書２１０及びキーワード抽出部２１２を利用する。
【００２３】
モニタ部２０１は、テレビジョン／ケーブル信号をモニタリングし、視聴者によりアクセス／視聴されるチャンネル情報を決定する。前記情報は、図３Ａのプロセス３００を利用して、内容を捕捉する単語を抽出して分析する閉鎖字幕情報を含む。プロセス３００は、次のステップを含む。
【００２４】
ステップ３０２：周知の変換情報を使用して変換部２０２によりテキストに変換された閉鎖字幕情報。
【００２５】
ステップ３０４：テキストでの不用語は、不用語フィルタ２０４により除去される。不用語は、自ら何らの意味がない“ｏｆ”，“ｏｎ”，“ｔｈｅ”などを含む。
【００２６】
ステップ３０６：適切な名詞検出部２０６を利用して、状況情報がないとき、辞書２１０に対して残っているテキストでそれぞれの単語を比較することによって適切な名詞は検出される。典型的に、適切な名詞は、大文字で始まる。他の場合に、獲得されたテキストは感知できない場合である。辞書２１０は、適切な名詞ではない単語を含む。もし考慮中の単語が辞書２１０に存在しなければ、適切な名詞であると仮定する。名詞が人、場所または事物の特定の名称を言及することによって、適切な名詞は、有用な文脈上の情報を伝達する。適切な名詞として検出された単語は、後のランキングのために適切な名詞検出部２０６により番号づけられる。
【００２７】
ステップ３０８：適切な名詞検出部２０６を使用して、状況情報が存在するとき、適切な名詞は、それぞれの単語の最初の文字の場合に基づいて検出される。適切な名詞は、後のランキングのために適切な名詞検出部２０６により番号づけられる。
【００２８】
ステップ３１０：残っている単語、発生（頻度）の数は、インデクサ２０８により記録される。さらに頻繁な単語が重要な単語であり、キーワードは重要な単語から選択される。閉鎖字幕情報から獲得されたテキストで単語の記録は、チャンネルが変化するか、または特別な文字を使用してトピック変化が発見されるとすぐにリセットされる。
【００２９】
ステップ３１２：インデクサ２０８は、ｎ秒ウィンドウの間に確認された単語（例えば、最後がｎ秒となるｎ秒期間に受ける単語）、頻度及び情報と関連した適切な名詞を維持する。例えば、ｎ＝１０秒ウィンドウは、１０秒で集まった単語である。ステップ３１０でインデックスされたキーワードは、全体的な現在のテレビジョンプログラム／ストーリをカバーし、このステップで議論されたキーワードは、最後の‘ｎ’秒間に集まったキーワードをカバーする。
【００３０】
ステップ３１４：あらゆる単語の頻度は、ｎ秒が過ぎてから集まった単語から関心単語（例えば、キーワード）を抽出するキーワード抽出部２１２により使われる。
【００３１】
ステップ３１６：キーワードは、探索部２０７によりインターネット５０での探索エンジンのような利用可能な資源に対して探索を行うためのクエリー形成部２０５でクエリーを形成するために使われる。ユーザーインターフェースモジュールは、さらに付加的な選択に対して推薦事項として探索結果をユーザーに提供する。
【００３２】
ステップ３１８：ユーザーは、推薦事項のうち選択し、前記選択された推薦は、ユーザーに付加的な関心情報に対して利用可能な資源を探索する探索部２０７により使われる。
【００３３】
ステップ３１６及び３１８は、ユーザーが最近にテレビジョンで視聴したプログラムについてのさらに多くの情報を探すようにし、ユーザーに付加的及び／またはさらに精製されたユーザーの関心情報をユーザーに提供するためにユーザーの希望として反復される。
【００３４】
図３Ｂは、抽出部２１２により行われるステップのフローチャートである。
【００３５】
ステップ３１４Ａ：ユーザーがテレビジョンコントロール（例えば、テレビジョンリモコン）の特定のボタンを活性化させるとき、ユーザー動作を含むユーザー要請を提供する。ユーザー要請で、最後のｎ秒にある単語は、キーワード抽出部２１２により一番重要な単語として別に置く。
【００３６】
ステップ３１４Ｂ：さらに、それぞれの単語は、頻度または他のランキングメカニズムに基づいて順位づけられる。
【００３７】
ステップ３１４Ｃ：また、それぞれの単語は、ステップ３０８または３１０で集まったタグを使用して適切な名詞状態に対して検査される。
【００３８】
ステップ３１４Ｄ：順位づけられたリストが生成され、一例において、適切な単語である高い頻度数の単語は、リストの上段を占有する。次いで、高い頻度数の単語及びその後の適切な名詞を有する単語が続く。テレビジョンの視聴以後に確認された高い頻度数を有する単語と適切な名詞とによって順位づけられたリストから上段ｉ単語は、ユーザーが視聴しているプログラムの内容を捕捉する。順位づけられたリストからの情報は、キーワードとして使われる。ｎ秒ウィンドウで捕捉された単語は、ディテールファイナーレベルでの内容を表し、プログラムの開始以後に捕捉された適切な名詞と高い頻度単語とは、上位レベルの内容を表す。
【００３９】
電子プログラムガイド（Ｅｌｅｃｔｒｏｎｉｃｓ  Ｐｒｏｇｒａｍ  Ｇｕｉｄｅ：ＥＰＧ）情報を使用し、ＥＰＧ情報は、ケーブルテレビジョン、衛星テレビジョンでテレビジョンプログラムについての情報を含み、視聴されているチャンネルの名称は、ステップ３１６，３１８でのクエリーを構成するのに使われる。例えば、ユーザーがＢＢＣ  Ａｍｅｒｉｃａの“Ｐａｎｏｒａｍａ”を視聴しているとき、単語“Ｐａｎｏｒａｍａ”及び“ＢＢＣ  Ａｍｅｒｉｃａ”は、探索のためのチャンネル及びプログラムの内容に関連した情報を提供するための抽出されたキーワードに加えられる。
【００４０】
また、抽出されたキーワードは、異なる言語に転換され、インターネット５０で付加的な情報を探す探索のために使われる。さらに、一つの言語から他の言語に転換されたキーワードは、単純であり、文章と逆になったものであって、言語対言語辞書を使用できる。これは、視聴しているテレビジョンプログラムの言語の小さい部分のみを理解するユーザーに有益なものである。
【００４１】
図４は、本発明の他の実施形態によるインターネットで関連した情報を探すためのテレビジョン閉鎖字幕情報を分析するシステムに関するブロックダイアグラムである。システム４００は、図２でのシステム２００の変形であり、キーワードに付加して句を識別するための句抽出部２１４をさらに備える。句の例は、キーワード“ボルチモア”及び“レイバンズ”の代わりに“ボルチモアレイバンズ”となりうる。
【００４２】
実施形態において、キーワード抽出部２１２は、適切な名詞検出部２０６及びインデクサ２１４からの情報に頼るだけでなく、キーワードを得るために句抽出部２１４からの情報も使用する。句抽出部２１４は、一連の規則によってインデクサ２０８により記録された頻繁かつ同時に発生する情報を使用する重要な句を識別する句識別部の機能を含む。“Ｕｎｉｔｅｄ  Ｎａｔｉｏｎｓ”、“Ａｌ  Ｑａｅｄａ”のようなマルチ単語句を識別するのに重要である。
【００４３】
作動において、集まった閉鎖情報テキストは、句を捕捉するために先に句識別部を通過し、後に捕捉された句がインデックスされる。句識別部は、内部的に三つのリストを有する：適切な名詞リスト、辞書、不用語のリスト。句識別部は、句抽出部への接近に基づいたＮ−ｇｒａｍを使用し、それから概念的に‘Ｎ’単語長の句を捕捉するために、‘Ｎ’単語サイズのウィンドウは、テキストによって表れ、あらゆる可能な（‘Ｎ’単語長の）句は集まる。
【００４４】
次いで、意味のない句をフィルタリングする次の三つの規則による。
【００４５】
１．句読点で終わる単語は、句の中間に存在できない。
【００４６】
２．二つまたはそれ以上の単語の句長について、最初の単語は、二つの冠詞（定冠詞‘ｔｈｅ’、不定冠詞‘ａ／ａｎ’）を除いては不用語とならず、単語の残りは、‘ｔｈｅ’，‘ｏｎ’，‘ａｔ’，‘ｏｆ’，‘ｉｎ’，‘ｂｙ’，‘ｆｏｒ’，‘ａｎｄ’のような接続的な不用語を除いては不用語とならない。
【００４７】
３．辞書で提供されない適切な名詞及び単語は、意味のある句として取り扱われる。
【００４８】
句抽出部２１４は、インデックスからの最も高い点数を有する用語及びインデックスから句を抽出する用語抽出部機能を含む。用語と句とは、ユーザーに提示され、ユーザーの付加的な関心情報を提供するためにさらに探索するのに使われる。
【００４９】
二者択一的に、句抽出部２１４は、重要な句を抽出するためにＮＬＰ（Ｎａｔｕｒａｌ  Ｌａｎｇｕａｇｅ  Ｐｒｏｃｅｓｓｉｎｇ）タガー及び一連の抽出規則を含む。作動において、ＮＬＰタガーは、（例えば、単語が‘名詞’、‘形容詞’、‘適切な名詞’であるか否か）品詞を有する閉鎖字幕テキストでそれぞれの単語にタグをつける。抽出規則は、重要なタグの順序の種類を定義する。例えば、規則は、“少なくとも一つ以上の‘適切な名詞’の文章”である句を抽出でき、他の規則は、“少なくとも一つ以上の‘名詞’に先立った少なくとも一つ以上の‘形容詞’の文章”を抽出できる。句抽出部は、それらの規則を品詞タガーによりタグ付きのテキストに適用する。また、適当な規則を使用することによって、シングルワードキーワードを抽出するのに使われる。
【００５０】
一実施形態において、図２及び／または図４で、インターネット／探索エンジン５０を除いたあらゆる構成要素は、ＣＥ装置３０にある。他の実施形態において、図２及び／または図４で、インターネット／探索エンジン５０は、インターネットにあり、辞書２１０は、ネットワーク（ローカルまたはインターネット）にあり、他の構成要素は、ＣＥ装置にある。
【００５１】
たとえ、ここに提供された実施形態で、テレビジョンは閉鎖字幕情報を受信するのに使われるとしても、本発明は、ユーザーの関心情報を決定及び探索するために分析するのに使われる情報を受信する他の装置（例えば、ミュージックプレーヤーなど）にも適用される。
【００５２】
さらに、たとえ、図１で閉鎖字幕情報を含むプログラミングを受信するのに使われるＣＥ装置３０は、ホームネットワークに連結されるように表れるとしても、かかるホームネットワークは要求されず、ＣＥ装置は、ホームネットワークの連結なしにケーブル、衛星、デジタル加入者回線（Ｄｉｇｉｔａｌ  Ｓｕｂｓｃｒｉｂｅｒ  Ｌｉｎｅ：ＤＳＬ）またはプログラミングの他のソースからプログラミングを受信するスタンドアローン装置となりうる。かかるスタンドアローン装置は、ホーム／ローカルネットワークの必要なしに、インターネット５０に連結されるように情報のソースに連結されることを必要とする。さらに、本発明は、スタンドアローン装置またはホーム／ローカルネットワークに連結される非ＣＥ装置（例えば、図１での装置２０）で具現されることもある。さらに、たとえ、前記の例で、閉鎖字幕情報はユーザー関心の決定及び分析のために使われるとしても、他の実施形態で、本発明は、プログラミングの形態またはユーザーによりアクセス／視聴されるコンテンツを表す情報の他の形態にも利用される。
【００５３】
本発明による前述した例示アーキテクチャーは、当業者に自明な、プロセッサにより実行されるプログラム命令、論理回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ファームウェアなどの多様な方法で具現される。したがって、本発明は、ここに記述された例示に制限されない。
【００５４】
本発明は、ある望ましいバージョンと関連して非常に詳細に記述したが、他のバージョンも可能である。したがって、特許請求の範囲の真意と範囲は、ここの望ましいバージョンの技術に制限されてはならない。
【産業上の利用可能性】
【００５５】
本発明は、ネットワーク関連の技術分野に適用可能である。
【図面の簡単な説明】
【００５６】
【図１】本発明の一実施形態による電子装置のネットワーク例を示す図である。
【図２】本発明の一実施形態によるインターネットで関連した情報を探すためにテレビジョン閉鎖字幕情報を分析するシステムのブロックダイアグラムを示す図である。
【図３Ａ】本発明の一実施形態によるインターネットで関連した情報を探すためにテレビジョン閉鎖字幕情報を分析するステップを示すフローチャートである。
【図３Ｂ】図３Ａのステップでキーワード抽出のステップを示すフローチャートである。
【図４】本発明の他の実施形態によるインターネットで関連した情報を探すためにテレビジョン閉鎖字幕情報を分析するシステムのブロックダイアグラムを示す図である。
【符号の説明】
【００５７】
５０    インターネット／探索エンジン
２００  テレビジョン閉鎖字幕情報を分析するシステム
２０１  モニタ部
２０２  変換部
２０４  不用語フィルタ
２０５  クエリー形成部
２０６  適切な名詞検出部
２０７  探索部
２０８  インデクサ
２１０  辞書
２１２  キーワード抽出部
【図１】
2008276737.tif 000003
【図２】
2008276737.tif 000004
【図３Ａ】
2008276737.tif 000005
【図３Ｂ】
2008276737.tif 000006
【図４】
2008276737.tif 000007